(57)【要約】      （修正有）【課題】消臭効果を長期にわたって持続させることができる、鞄を提供する。【解決手段】鞄１０は、収容物を収容する収容空間Ｓを構成する鞄本体１２と、透湿性を有し、鞄本体１２の内面１２ａを覆うように設けられた布状またはシート状の内張材１４と、消臭材１６とを備えている。消臭材１６は、鞄本体１２と内張材１４との間、すなわち鞄本体１２の内面１２ａと内張材１４の内面１４ａとの間に設けられている。消臭材１６は、透湿性を有する布状またはシート状の基材と、基材の一方面および他方面の少なくとも一方に層状に設けられた消臭層とを有している。消臭層は、珪藻土と、イオン交換性物質と、接合物質とを含んでいる。接合物質は、珪藻土とイオン交換性物質とを互いに接合するとともに、これらを基材に接合している。【選択図】図３
0003229012.tif 000002
【実用新案登録請求の範囲】
【請求項１】
収容物を収容する収容空間を構成する鞄本体と、
透湿性を有し、前記鞄本体の内面を覆うように設けられた布状またはシート状の内張材と、
前記鞄本体の内面と前記内張材の内面との間に設けられた消臭材とを備え、
前記消臭材は、透湿性を有する布状またはシート状の基材と、前記基材の一方面および他方面の少なくとも一方に層状に設けられた消臭層とを有しており、
前記消臭層は、珪藻土と、イオン交換性物質と、接合物質とを含み、
前記接合物質は、前記珪藻土と前記イオン交換性物質とを互いに接合するとともに、これらを前記基材に接合する、鞄。
【請求項２】
前記接合物質は、前記珪藻土と前記イオン交換性物質とを空隙を確保しつつ接合する、請求項１に記載の鞄。
【請求項３】
前記接合物質は、水性合成樹脂エマルジョンが硬化したものであり、
前記水性合成樹脂エマルジョンは、酢酸ビニル樹脂エマルジョン、アクリル樹脂エマルジョン、ウレタン樹脂エマルジョン、シリコーン樹脂エマルジョンおよびスチレン・ブタジエン樹脂エマルジョンからなる群から選択される少なくとも１種を含む、請求項１または２に記載の鞄。
【請求項４】
前記イオン交換性物質は、天然ゼオライト、モンモリロナイト、ベントナイト、人工ゼオライトおよび陽イオン交換樹脂からなる群から選択される少なくとも１種を含む、請求項１ないし３のいずれか１項に記載の鞄。
【請求項５】
前記イオン交換性物質は、天然ゼオライトまたは人工ゼオライトを含み、
前記天然ゼオライトまたは前記人工ゼオライトが銀イオンを担持している、請求項４に記載の鞄。
【請求項６】
前記内張材は、前記消臭材を出し入れするための開口部を有している、請求項１ないし５のいずれか１項に記載の鞄。
【請求項７】
前記内張材は、前記鞄本体の内面の一部を覆う第１部分と、前記鞄本体の内面の他の一部を覆う第２部分とを有しており、
前記開口部の内周縁は、前記第１部分の第１端部と前記第２部分の第２端部とによって構成されている、請求項６に記載の鞄。
【請求項８】
前記第１端部と前記第２端部とは、互いに重ね合わされている、請求項７に記載の鞄。
【請求項９】
前記内張材は、布状またはシート状の内側部分と、布状またはシート状の外側部分とを有する袋状に形成されて、前記鞄本体に対して着脱自在に取り付けられており、
前記消臭材は、前記内側部分と前記外側部分との間に設けられている、請求項１ないし８のいずれか１項に記載の鞄。
【考案の詳細な説明】
【技術分野】
【０００１】
本考案は、収容物から放散された臭い成分を除去する機能を有する鞄に関する。
【背景技術】
【０００２】
一般的な鞄では、収容物の収容機能や運搬機能が重視されており、消臭機能については、市販の消臭材を併用することなどによって補われている。しかし、消臭材の消臭効果が無くなった場合には、消臭材を交換しなければならないため、その交換作業が面倒であった。そこで、従来から消臭機能を有する鞄が考案されており、その一例が下記特許文献１に記載されている。特許文献１の鞄は、底板、ポケット、内張り布材およびポケット布材などの部材を有しており、当該部材には、脱臭剤または付香剤が付着されている。
【先行技術文献】
【特許文献】
【０００３】
【特許文献１】実開昭５９−７０５２８号公報
【考案の概要】
【考案が解決しようとする課題】
【０００４】
しかしながら、上記特許文献１に記載された鞄では、脱臭剤または付香剤が収容空間に露出しているため、脱臭剤または付香剤が収容物に接触して消耗し易く、消臭効果を長期にわたって持続させることが困難であるという問題があった。
【０００５】
本考案は、上記問題に対処するためになされたものであり、消臭効果を長期にわたって持続させることができる、鞄を提供することを目的とする。
【０００６】
上記目的を達成するため、本考案に係る鞄の特徴は、収容物を収容する収容空間を構成する鞄本体と、透湿性を有し、前記鞄本体の内面を覆うように設けられた布状またはシート状の内張材と、前記鞄本体の内面と前記内張材の内面との間に設けられた消臭材とを備え、前記消臭材は、透湿性を有する布状またはシート状の基材と、前記基材の一方面および他方面の少なくとも一方に層状に設けられた消臭層とを有しており、前記消臭層は、珪藻土と、イオン交換性物質と、接合物質とを含み、前記接合物質は、前記珪藻土と前記イオン交換性物質とを互いに接合するとともに、これらを前記基材に接合することにある。
【０００７】
この構成では、透湿性を有する内張材の内面よりも外側に消臭材が設けられているので、収容空間に収容された収容物が消臭材に直接接触することを防止できる。また、消臭材の全体を布状またはシート状に形成することができるので、消臭材を鞄本体の内面に沿わせて設けることが可能であり、鞄本体が変形された場合には、それに追従するように消臭材を変形させることができる。これにより、消臭材の消耗を抑制でき、消臭材の消臭効果を長期にわたって持続させることができる。
【０００８】
また、消臭層に含まれる珪藻土の細孔が様々な種類の臭い成分を吸着し、消臭層に含まれるイオン交換性物質がイオン交換作用により臭い成分を吸着するので、これらの相乗作用によって高い消臭効果を得ることができる。また、珪藻土の細孔が水分を吸着するので、高い吸湿効果を得ることができる。
【０００９】
本考案に係る鞄の他の特徴は、前記接合物質は、前記珪藻土と前記イオン交換性物質とを空隙を確保しつつ接合することにある。
【００１０】
この構成では、消臭層に空隙が確保されるので、消臭層の表面だけでなく、消臭層の内部や裏面でも臭い成分を吸着することが可能であり、高い消臭効果を得ることができる。
【００１１】
本考案に係る鞄の他の特徴は、前記接合物質は、水性合成樹脂エマルジョンが硬化したものであり、前記水性合成樹脂エマルジョンは、酢酸ビニル樹脂エマルジョン、アクリル樹脂エマルジョン、ウレタン樹脂エマルジョン、シリコーン樹脂エマルジョンおよびスチレン・ブタジエン樹脂エマルジョンからなる群から選択される少なくとも１種を含むことにある。
【００１２】
この構成によれば、接合物質は水性合成樹脂エマルジョンが硬化したものであるため、接合物資を消臭層の全体にむら無く分散させることが可能であり、消臭層を基材の表面に均質に接合することができる。また、接合物資が透湿性を有する基材の細孔に入り込むことによって、消臭層を基材の表面に強固に接合することができる。
【００１３】
本考案に係る鞄の他の特徴は、前記イオン交換性物質は、天然ゼオライト、モンモリロナイト、ベントナイト、人工ゼオライトおよび陽イオン交換樹脂からなる群から選択される少なくとも１種を含むことにある。
【００１４】
この構成によれば、イオン交換性物質が陽イオンを交換する陽イオン交換性物質であるため、悪臭の原因となり易いアンモニウムイオン（ＮＨ４＋）を吸着できる。
【００１５】
本考案に係る鞄の他の特徴は、前記イオン交換性物質は、天然ゼオライトまたは人工ゼオライトを含み、前記天然ゼオライトまたは前記人工ゼオライトが銀イオンを担持していることにある。
【００１６】
この構成によれば、天然ゼオライトまたは人工ゼオライトが担持する銀イオンによって、抗菌力を得ることができる。
【００１７】
本考案に係る鞄の他の特徴は、前記内張材は、前記消臭材を出し入れするための開口部を有していることにある。
【００１８】
この構成では、鞄本体の内面と内張材の内面との間に設けられた消臭材を開口部から出し入れすることができるので、消臭材を取り出した状態で鞄を水洗いすることができる。
【００１９】
本考案に係る鞄の他の特徴は、前記内張材は、前記鞄本体の内面の一部を覆う第１部分と、前記鞄本体の内面の他の一部を覆う第２部分とを有しており、前記開口部の内周縁は、前記第１部分の第１端部と前記第２部分の第２端部とによって構成されていることにある。
【００２０】
この構成では、第１部分の第１端部と第２部分の第２端部とによって開口部の内周縁が構成されているので、開口部の幅を第１部分および第２部分のそれぞれの幅とほぼ同じにすることができ、開口部を広く確保できる。
【００２１】
本考案に係る鞄の他の特徴は、前記第１端部と前記第２端部とは、互いに重ね合わされていることにある。
【００２２】
この構成では、第１端部と第２端部とが重ね合わされた部分において、消臭材が収容空間に露出することを防止でき、消臭材の消耗を抑制して、消臭効果を長期にわたって持続させることができる。
【００２３】
本考案に係る鞄の他の特徴は、前記内張材は、布状またはシート状の内側部分と、布状またはシート状の外側部分とを有する袋状に形成されて、前記鞄本体に対して着脱自在に取り付けられており、前記消臭材は、前記内側部分と前記外側部分との間に設けられていることにある。
【００２４】
この構成では、袋状の内張材の内部に消臭材が設けられているので、消臭材を内張材と一緒に鞄本体から取り外すことができる。したがって、鞄を水洗いするときには、消臭材だけを手で掴んで取り出す必要がなく、消臭材の消耗を抑制して、消臭効果を長期にわたって持続させることができる。
【図面の簡単な説明】
【００２５】
【図１】第１実施形態に係る鞄の構成を示す斜視図である。
【図２】第１実施形態に係る鞄の構成を示す断面図である。
【図３】第１実施形態に係る鞄の消臭材の取付構造を示す断面図である。
【図４】（Ａ）は消臭材の構成を示す斜視図、（Ｂ）は消臭材の構成を示す断面図である。
【図５】消臭材の構成を示す部分拡大断面図である。
【図６】他の消臭材の構成を示す断面図である。
【図７】第２実施形態に係る鞄の消臭材の取付構造を示す断面図である。
【図８】第３実施形態に係る鞄の消臭材の取付構造を示す断面図である。
【考案を実施するための形態】
【００２６】
以下、本考案に係る鞄の実施形態について図面を参照しながら説明する。
【００２７】
（第１実施形態）
図１は、第１実施形態に係る鞄１０の構成を示す斜視図である。図２は、鞄１０の構成を示す断面図である。図３は、消臭材１６の取付構造を示す断面図である。図４（Ａ）は消臭材１６の構成を示す斜視図であり、図４（Ｂ）は消臭材１６の構成を示す断面図である。図５は、消臭材１６の構成を示す部分拡大断面図である。
【００２８】
図１に示す鞄１０は、汗や土が付着した衣類などの収容物Ｗを収容するスポーツバッグであり、鞄本体１２（図１）と、内張材１４（図２）と、消臭材１６（図２〜図５）と、底板１８（図２）とを備えている。
【００２９】
図１に示すように、鞄本体１２は、収容物Ｗを収容する収容空間Ｓを構成する部材であり、本体部２０と、蓋部２２と、２つの持ち手２４ａ，２４ｂとを有している。本体部２０は、合成樹脂および皮革などの水を通さない布状またはシート状の材料によって略直方体状に形成されている。本体部２０の上部には、上方に向けて開かれる平面視で四角形の開口部２６が設けられている。開口部２６の３つの辺には、ファスナー２８を構成するエレメントを含む第１テープ２８ａが取り付けられている。
【００３０】
蓋部２２は、開口部２６を開閉可能に閉塞する部分であり、合成樹脂および皮革などの水を通さない材料によって平面視で四角形の布状またはシート状に形成されている。蓋部２２の３つの辺には、ファスナー２８を構成するエレメントを含む第２テープ２８ｂが取り付けられている。持ち手２４ａ，２４ｂは、使用者が手で持ったり、肩に掛けたりする部分であり、本体部２０の上部に取り付けられている。
【００３１】
図２に示す内張材１４は、透湿性を有する布状またはシート状の部材であり、図２に示すように、本体部２０および蓋部２２のそれぞれの内面、すなわち鞄本体１２の内面１２ａを覆うように設けられている。本実施形態の内張材１４は、化学繊維で形成された布であり、湿気や水蒸気を透過させる細孔を有している。なお、内張材１４の種類は、特に限定されるものではなく、織物、編物および不織布などの繊維で構成された布の他、細孔を有する樹脂シートなどを適宜選択して用いることができる。
【００３２】
図４（Ａ），（Ｂ）に示す消臭材１６は、四角形のシート状の部材であり、図１に示す鞄本体１２の前・後・左・右・上・下の６つの側壁のそれぞれに対応するように、鞄本体１２と内張材１４（図２）との間に設けられている。図３に示すように、本実施形態では、内張材１４が布状またはシート状に形成されているので、消臭材１６は、鞄本体１２の内面１２ａと内張材１４の内面１４ａとの間に、これらに対向して設けられていることになる。なお、消臭材１６の形状は、四角形に限定されるものではなく、円形、楕円形および多角形（四角形を除く）などに形成されてもよい。
【００３３】
図４（Ａ），（Ｂ）に示すように、消臭材１６は、基材３０と、基材３０の一方面３０ａに形成された消臭層３２とを備えている。本実施形態において、基材３０の一方面３０ａは、収容空間Ｓ（図３）の中央側に向けられる基材３０の内面であり、基材３０の他方面３０ｂは、一方面３０ａに対して反対側に向けられる基材３０の外面である。
【００３４】
図４（Ａ），（Ｂ）に示す基材３０は、透湿性を有する布状またはシート状の部材である。図５に示すように、本実施形態の基材３０は、湿気や水蒸気は透過できるものの水滴は通さない細孔Ｍを有する透湿性防水シートであり、例えば、タイベック（登録商標、E.I.du Pont de Nemours and Company）シートやゴアテックス（登録商標、W.L.Gore&Associates,Inc.）シートなどの市販のものを用いることができる。タイベックシートは、高密度ポリエチレンの極細繊維をランダムに積層し、これを加熱および加圧することで結合して一体化させた不織布であり、０．１３〜０．１７ｍｍ程度の厚さを有している。
【００３５】
図４（Ａ），（Ｂ）に示す消臭層３２は、消臭性および吸湿性を確保するものであり、図５に示すように、粉状の珪藻土３４と、粉状のイオン交換性物質３６と、珪藻土３４とイオン交換性物質３６とを接合するとともに、これらを基材３０に接合する接合物質３８と、粉状の着色物質４０とを含んでいる。消臭層３２においては、珪藻土３４、イオン交換性物質３６、接合物質３８および着色物質４０の相互間に、湿気を通すことができる空隙Ｎが形成されており、これにより、消臭層３２の透湿性が確保されている。
【００３６】
本実施形態の消臭層３２は、その総重量に対して、珪藻土３４を３０〜５０重量％含んでおり、イオン交換性物質３６を３０〜４０重量％含んでおり、接合物質３８を０．５〜１重量％含んでおり、着色物質４０を１９〜２９重量％含んでいる。なお、着色物質４０は省略されてもよい。その場合、珪藻土３４の含有率の範囲は３０〜６９重量％に拡大されてもよいし、イオン交換性物質３６の含有率の範囲は３０〜６９重量％に拡大されてもよい。
【００３７】
珪藻土３４は、二酸化ケイ素を主成分とする多孔質の天然素材であり、水分や様々な臭い成分を吸着する機能を有している。珪藻土の平均粒径は、特に限定されるものではないが、５〜１００μｍの範囲内が好ましい。
【００３８】
イオン交換性物質３６は、臭い成分をイオン交換作用により吸着する物質であり、天然ゼオライト、モンモリロナイト、ベントナイト、人工ゼオライト、陽イオン交換樹脂、ハイドロタルサイト、アロフェン、イモゴライト、カオリンおよび陰イオン交換樹脂からなる群から選択される少なくとも１種を含んでいる。つまり、イオン交換性物質３６としては、これらの物質のうち１種を単独で用いてもよいし、２種以上を併せて用いてもよい。
【００３９】
イオン交換性物質３６としては、悪臭の原因となり易いアンモニウムイオン（ＮＨ４＋）を吸着できることから、陽イオン交換性物質を用いることが好ましい。上記物質のうち、天然ゼオライト、モンモリロナイト、ベントナイト、人工ゼオライトおよび陽イオン交換樹脂が陽イオン交換性物質であり、他は陰イオン交換性物質である。
【００４０】
また、イオン交換性物質３６としては、珪藻土３４に対する高い接合性を期待できることから、無機物質を用いることが好ましい。上記物質のうち、天然ゼオライト、モンモリロナイト、ベントナイト、人工ゼオライト、ハイドロタルサイト、アロフェン、イモゴライトおよびカオリンが無機物質である。なお、アロフェン、イモゴライトおよびカオリンは、粘土鉱物であり、着色物質４０として用いることもできる。
【００４１】
上記の事情により、イオン交換性物質３６としては、陽イオン交換性物質であり、かつ、無機物質でもある天然ゼオライト、モンモリロナイト、ベントナイトおよび人工ゼオライトを用いることが好ましく、特に、天然ゼオライトを用いることが好ましい。天然ゼオライトは、チャンネル（管状細孔）およびキャビティ（空洞）を有するアルミノケイ酸塩であり、イオン交換作用によってアンモニウムイオン（ＮＨ４＋）などの臭い成分を吸着する機能に加えて、チャンネルおよびキャビティによって様々な臭い成分および水分を吸着する機能を有している。また、天然ゼオライトは、臭い成分などの物質を分解する触媒機能を有することでも知られている。なお、天然ゼオライトの平均粒径は、特に限定されるものではないが、０．２〜０．５μｍの範囲内が好ましい。
【００４２】
接合物質３８は、珪藻土３４とイオン交換性物質３６とを接合するとともに、消臭層３２を基材３０の表面に接合するものであり、酢酸ビニル樹脂、アクリル樹脂、ウレタン樹脂、シリコーン樹脂およびスチレン・ブタジエン樹脂からなる群から選択される少なくとも１種を含んでいる。つまり、接合物質３８としては、これらの物質のうち１種を単独で用いてもよいし、２種以上を併せて用いてもよい。
【００４３】
本実施形態の接合物質３８は、水性合成樹脂エマルジョンが硬化した固形物であり、接合物質３８の粒子が消臭層３２の全体にむら無く分散されている。基材３０の細孔Ｍに接合物質３８が入り込むことによって、消臭層３２と基材３０とが強固に接合されている。なお、接合物質３８の平均粒径は、特に限定されるものではないが、７０〜１００μｍの範囲内が好ましい。
【００４４】
着色物質４０は、消臭層３２を着色するものであり、アロフェン、イモゴライト、カオリン、石英、長石、セリサイトからなる群から選択される少なくとも１種を含んでいる。これらの物質は、天然に存在する粘土鉱物である。着色物質４０の平均粒径は、特に限定されるものではないが、１〜１０μｍの範囲内が好ましい。なお、上記の通り、着色物質４０は省略されてもよい。
【００４５】
（鞄の製造方法）
鞄１０を製造する際には、製造者は、まず、鞄本体１２（図１）、内張材１４（図２）、消臭材１６（図２〜図５）および底板１８（図２）を準備する。そして、図３に示すように、鞄本体１２の前・後・左・右・上・下の６つの側壁のそれぞれの内面１２ａに消臭材１６を配置しながら、当該内面１２ａに内張材１４を縫合、接着および溶着などの接合手段を用いて接合する。その後、図２に示すように、鞄本体１２の底部の上面に底板１８を配置する。
【００４６】
消臭材１６を製造するとき、製造者は、まず、粉状の珪藻土３４と、粉状のイオン交換性物質３６と、水性合成樹脂エマルジョン（図示省略）と、粉状の着色物質４０とを混合して、これらを含む混合物（図示省略）を生成する。
【００４７】
この工程では、珪藻土３４とイオン交換性物質３６とを接合する接合剤として水性合成樹脂エマルジョンを用いているので、製造工程において有害物質が発生し難い。なお、水性合成樹脂エマルジョンは、乾燥することによって（すなわち水分が蒸発することによって）固形の接合物質３８となるものであり、酢酸ビニル樹脂エマルジョン、アクリル樹脂エマルジョン、ウレタン樹脂エマルジョン、シリコーン樹脂エマルジョンおよびスチレン・ブタジエン樹脂エマルジョンからなる群から選ばれる少なくとも１種を含んでいる。
【００４８】
続いて、製造者は、基材３０の表面に上記混合物を塗布し、その後、混合物に含まれる水性合成樹脂エマルジョンを乾燥させる。水性合成樹脂エマルジョンが乾燥すると、固形の接合物質３８が生成されるとともに消臭層３２が形成され、基材３０と消臭層３２とが接合物質３８を介して接合される。
【００４９】
基材３０の表面に混合物を塗布する方法としては、例えば、ローラで塗布する方法や、ノズルから吹き付けて塗布する方法などを用いることができる。また、水性合成樹脂エマルジョンを乾燥させる方法としては、例えば、自然乾燥させる方法や、乾燥室で乾燥させる方法や、ヒーターで加熱して乾燥させる方法などを用いることができる。
【００５０】
（実施形態の効果）
本実施形態に係る鞄１０によれば、上記の構成により以下の各効果を奏することができる。すなわち、図３に示すように、消臭材１６が透湿性を有する内張材１４の内面１４ａよりも外側に設けられているので、収容空間Ｓに収容された収容物Ｗ（図２）が消臭材１６に直接接触することを防止できる。また、消臭材１６の全体をシート状に形成することができるので、消臭材１６を鞄本体１２の内面１２ａに沿わせて設けることが可能であり、鞄本体１２が変形された場合には、それに追従するように消臭材１６を変形させることができる。これにより、消臭材１６の消耗を抑制でき、消臭材１６の消臭効果を長期にわたって持続させることができる。
【００５１】
また、図５に示す消臭層３２に含まれる珪藻土３４の細孔が様々な種類の臭い成分を吸着し、イオン交換性物質３６がイオン交換作用により臭い成分を吸着するので、これらの相乗作用によって高い消臭効果を得ることができる。また、珪藻土３４の細孔が水分を吸着するので、高い吸湿効果を得ることができる。
【００５２】
図５に示すように、消臭層３２に空隙Ｎが確保されるので、消臭層３２の表面だけでなく、内部や裏面でも臭い成分を吸着することが可能であり、高い消臭効果を得ることができる。
【００５３】
図５に示す接合物質３８は水性合成樹脂エマルジョンが硬化したものであるため、接合物資３８を消臭層３２の全体にむら無く分散させることが可能であり、消臭層３２を基材３０の表面に均質に接合することができる。また、接合物資３８が透湿性を有する基材３０の細孔Ｍに入り込むので、消臭層３２を基材３０の表面に強固に接合することができる。
【００５４】
図５に示すイオン交換性物質３６が陽イオンを交換する陽イオン交換性物質であるため、悪臭の原因となり易いアンモニウムイオン（ＮＨ４＋）を吸着できる。
【００５５】
（変形例）
本考案の実施にあたっては、上記実施形態に限定されず、本考案の目的を逸脱しない限りにおいて種々の変更が可能である。図６は、他の消臭材４２の構成を示す断面図である。
【００５６】
図４（Ｂ）に示すように、上記実施形態では、消臭層３２が基材３０の一方面３０ａ（内面）に形成されているが、消臭層３２は、基材３０の他方面３０ｂ（外面）に形成されてもよいし（図示省略）、図６に示す他の消臭材４２のように、基材３０の一方面３０ａ（内面）および他方面３０ｂ（外面）の両方に形成されてもよい。
【００５７】
消臭層３２は、炭酸カルシウムを含んでいてもよい。この場合、炭酸カルシウムが水分に触れてアルカリ性を呈するため、カビの発生を抑制できる。また、消臭層３２は、酸化チタン（光触媒）を含んでいてもよい。この場合、酸化チタンが酸化還元反応を促進するため、有機物や細菌を分解することができる。
【００５８】
消臭層３２に含まれるイオン交換性物質３６は、銀イオン（Ａｇ＋）や銅イオン（Ｃｕ２＋）などの金属イオンを担持していてもよい。例えば、イオン交換性物質３６としての天然ゼオライトまたは人工ゼオライトが銀イオン（Ａｇ＋）を担持していてもよい。この場合、金属イオンの抗菌作用（抗菌力）によって細菌の発生を抑制できるので、細菌に起因する臭いの発生を抑制できる。また、消臭層３２は、銀やＫＥＮＩＦＩＮＥ(登録商標、株式会社神戸製鋼所)などの抗菌性を有する物質の粉末を含んでいてもよい。
【００５９】
図３に示すように、上記実施形態では、消臭材１６が鞄本体１２に対して容易に着脱できないように設けられているが、図７に示す第２実施形態に係る鞄４４や、図８に示す第３実施形態に係る鞄４６のように、消臭材１６は、鞄本体１２に対して着脱自在に設けられてもよい。
【００６０】
（第２実施形態）
図７は、第２実施形態に係る鞄４４の消臭材１６の取付構造を示す断面図である。第２実施形態に係る鞄４４では、内張材４８が消臭材１６を出し入れするための開口部５０を有している。内張材４８は、鞄本体１２の内面１２ａの一部を覆う第１部分５２と、鞄本体１２の内面１２ａの他の一部を覆う第２部分５４とを有しており、直線状に延びる第１部分５２の第１端部５２ａと直線状に延びる第２部分５４の第２端部５４ａとによって開口部５０の内周縁が構成されている。
【００６１】
第１部分５２と第２部分５４とは、上下方向に並べて設けられており、第１端部５２ａおよび第２端部５４ａが延びる方向、すなわち開口部５０の幅方向は、上下方向に対して直交する方向（前後方向または左右方向）と一致している。第１端部５２ａと第２端部５４ａとは、鞄本体１２の内面１２ａに対して直交する方向において互いに重ね合わされており、上側に設けられた第１部分５２の第１端部５２ａは、下側に設けられた第２部分５４の第２端部５４ａよりも収容空間Ｓの中央側（内側）に配置されている。
【００６２】
この構成では、鞄本体１２と内張材４８との間に設けられた消臭材１６を開口部５０から出し入れすることができるので、消臭材１６を取り出した状態で鞄４４を水洗いすることができる。また、開口部５０の幅を第１部分５２および第２部分５４のそれぞれの幅とほぼ同じにすることができるので、開口部５０を広く確保できる。さらに、第１端部５２ａと第２端部５４ａとが重ね合わされた部分において、消臭材１６が収容空間Ｓに露出することを防止できるので、消臭材１６の消耗を抑制して、消臭効果を長期にわたって持続させることができる。
【００６３】
なお、図７に示す鞄４４では、第１部分５２と第２部分５４とが上下方向に並べて設けられているが、これらは、上下方向に対して直交する方向（前後方向または左右方向）に並べて設けられてもよい。また、図７に示す鞄４４では、上側に設けられた第１部分５２の第１端部５２ａが、下側に設けられた第２部分５４の第２端部５４ａよりも収容空間Ｓの中央側（内側）に配置されているが、第１端部５２ａは第２端部５４ａよりも外側に配置されてもよい。
【００６４】
（第３実施形態）
図８は、第３実施形態に係る鞄４６の消臭材１６の取付構造を示す断面図である。第３実施形態に係る鞄４６では、内張材５８は、布状またはシート状の内側部分６０と、布状またはシート状の外側部分６２とを有している。内側部分６０の周縁部と外側部分６２の周縁部とは、互いに繋げられており、これにより内張材５８が袋状に形成されている。消臭材１６は、内側部分６０と外側部分６２との間、すなわち袋状の内張材５８の内部に設けられている。
【００６５】
図８に示すように、内張材５８の外面５８ｂには、面ファスナー６４の一片６４ａが設けられており、鞄本体１２の内面１２ａには、面ファスナー６４の他片６４ｂが設けられている。そして、一片６４ａと他片６４ｂが接合されることによって、内張材５８が鞄本体１２に対して着脱自在に取り付けられている。内張材５８が鞄本体１２に取り付けられた状態では、内側部分６０の内面が内張材５８の内面５８ａとなっている。したがって、内側部分６０と外側部分６２との間に設けられた消臭材１６は、鞄本体１２の内面１２ａと内張材５８の内面５８ａとの間に設けられていることになる。
【００６６】
この構成では、袋状の内張材５８の内部に消臭材１６が設けられているので、消臭材１６を内張材５８と一緒に鞄本体１２から取り外すことができる。したがって、鞄４６を水洗いするときには、消臭材１６だけを手で掴んで取り出す必要がなく、消臭材１６の消耗を抑制して、消臭効果を長期にわたって持続させることができる。
【００６７】
上記の各実施形態では、本考案に係る鞄をスポーツバッグに用いているが、本考案に係る鞄は、スポーツバッグの他、アタッシュケース、クラッチバッグ、ポーチ、ウェストバッグ、リュックサック、ランドセルおよび剣道防具袋などにも用いることができる。
【符号の説明】
【００６８】
Ｍ…細孔、Ｎ…空隙、Ｓ…収容空間、Ｗ…収容物、１０，４４，４６…鞄、１２…鞄本体、１４，４８…内張材、１６，４２…消臭材、１８…底板、２０…本体部、２２…蓋部、３０…基材、３２…消臭層、３４…珪藻土、３６…イオン交換性物質、３８…接合物資、４０…着色物質、５０…開口部、５２…第１部分、５４…第２部分。
【図１】
0003229012.tif 000003
【図２】
0003229012.tif 000004
【図３】
0003229012.tif 000005
【図４】
0003229012.tif 000006
【図５】
0003229012.tif 000007
【図６】
0003229012.tif 000008
【図７】
0003229012.tif 000009
【図８】
0003229012.tif 000010